(57)【要約】【課題】小冊子モードで分冊処理を行なった場合に製本する際の作業負担の軽減及び作業の迅速化を図ることができる画像形成装置を提供する。【解決手段】画像形成装置１は、フィニッシャー６のステイプル装置６２５により中綴じ処理を行うことが可能な記録紙の上限枚数（中綴じ制限枚数Ｂ）を記憶する中綴じ制限枚数記憶部４３と、原稿画像の印刷開始時点から印刷枚数Ｙをカウントする印刷枚数カウント部９２と、印刷枚数カウント部９２によりカウントされた印刷枚数Ｙ及び中綴じ制限枚数Ｂから各分冊の製本順序を特定するための分冊番号Ｘを求める分冊番号算出部９５と、分冊番号算出部９５により求められた分冊番号を各分冊の表紙に形成する画像形成部３００とを備える。【選択図】  図２
2005022175.tif 000002
【特許請求の範囲】
【請求項１】
原稿の画像を像形成手段によって記録紙の左右に転写し、後処理として小冊子を作成するための中綴じ処理を行う小冊子モードを備え、この小冊子モードは記録紙の枚数が所定数を越えるときには分冊可能に、分冊ごとの画像に並び替えると共に各記録紙に画像を転写するようになされた画像形成装置において、
転写予定の記録紙の枚数を予め算出する枚数算出手段と、
算出された記録紙の枚数が所定数を越えるか否かを判断する判断手段と、
転写される記録紙の枚数をカウントするカウンタと、
カウンタ出力に基づいて各記録紙に対する分冊番号を生成する分冊番号生成手段とを備え、
前記像形成手段は、前記算出された記録紙の枚数が所定数を越えると判断されたときは、転写される記録紙の所定個所に前記生成された分冊番号を転写することを特徴とする画像形成装置。
【請求項２】
前記所定数が前記算出された転写予定の記録紙の枚数の約数であるか否かを判断する約数判断手段と、
前記所定数が前記算出された転写予定の記録紙の枚数の約数のときは、そのまま像形成手段による処理に導き、前記所定数が前記算出された転写予定の記録紙の枚数の約数でないときは、前記算出された転写予定の記録紙の枚数を前記所定数で除算したときの商より大きい整数値を設定し、前記算出された転写予定の記録紙の枚数を前記整数値で除算し割り切れた場合、このときの商であり、かつ、１より大きい値を新たな所定値として扱うようにする分冊処理手段とを備えたことを特徴とする請求項１記載の画像形成装置。
【発明の詳細な説明】
【０００１】
【発明の属する技術分野】
本発明は、複写機、ファクシミリ装置、複合機等の電子写真を利用した画像形成装置に関する。
【０００２】
【従来の技術】
従来、複数枚数の原稿画像が両面印刷された記録紙の束をステープルで中綴じ処理を行い、更に２つ折りすることにより小冊子を作成する小冊子作成機能を有する画像形成装置においては、通常ステープルの処理能力により中綴じ可能な記録紙の枚数が制限されており、小冊子を作成する際に記録紙の枚数が制限枚数を超える場合は分冊処理を行なう（例えば、特許文献１，２）。
【０００３】
【特許文献１】
特開平７−１５７１７８号公報
【特許文献２】
特開２００３−１５８４４号公報
【０００４】
【発明が解決しようとする課題】
上記分冊処理により作成された複数の分冊を１冊にまとめる製本作業は、ユーザにより行なわれるものであり、記録紙の枚数、小冊子の作成部数が多く分冊数が多くなる程、手間がかかり作業効率を低下させるという問題点があった。
【０００５】
本発明は、上記問題点を解決するためになされたものであり、小冊子を複数の分冊として製本する際の作業負担の軽減を図ることができる画像形成装置を提供することが目的である。
【０００６】
【課題を解決するための手段】
請求項１に係る画像形成装置は、原稿の画像が形成された複数枚数の記録紙に対し、後処理を行い小冊子を作成する小冊子モードを有し、原稿枚数が所定枚数より大きい場合に分冊処理を行う画像形成装置であって、前記小冊子モードにより作成される小冊子に用いる記録紙の枚数である小冊子枚数を記憶する小冊子枚数記憶手段と、原稿画像の印刷開始時点から印刷枚数をカウントするカウント手段と、前記カウント手段によりカウントされた印刷枚数及び前記小冊子記憶手段に記憶される小冊子枚数から各分冊の製本順序を特定するための分冊番号を求める分冊番号決定手段と、前記分冊番号決定手段により求められた分冊番号を各分冊の表紙に形成する画像形成手段とを備えたことを特徴とする。
【０００７】
この構成によれば、ユーザが複数の分冊を重ね合わせて製本する際に、各分冊の表紙に付された分冊番号から製本順序を知ることができ、特に原稿枚数や小冊子の作成部数が多い場合の製本作業の迅速化を図ることができる。
【０００８】
請求項２に係る画像形成装置は、請求項１記載の画像形成装置において、前記所定数が前記算出された転写予定の記録紙の枚数の約数であるか否かを判断する約数判断手段と、前記所定数が前記算出された転写予定の記録紙の枚数の約数のときは、そのまま像形成手段による処理に導き、前記所定数が前記算出された転写予定の記録紙の枚数の約数でないときは、前記算出された転写予定の記録紙の枚数を前記所定数で除算したときの商より大きい整数値を設定し、前記算出された転写予定の記録紙の枚数を前記整数値で除算し割り切れた場合、このときの商であり、かつ、１より大きい値を新たな所定値として扱うようにする分冊処理手段とを備えたことを特徴とする。
【０００９】
この構成によれば、前記所定数が前記転写予定の記録紙の枚数の約数でない場合は、当該所定数を前記記録紙の枚数の約数に変更するので、各分冊に含まれる記録紙の枚数を均等にすることができる。
【００１０】
【発明の実施の形態】
以下、本発明に係る実施形態を図面に基づいて説明する。図１は、本発明の一実施形態に係る画像形成装置の一例である複合機の内部構成を概略的に示す側面図である。複合機１は、コピー機能、プリンタ機能、スキャナ機能及びファクシミリ機能等の機能を兼ね備えたものである。
【００１１】
本体部２には、本体部２の下部に配設された給紙部１００と、この給紙部１００の側方及び上方に配設された用紙搬送部２００と、この用紙搬送部２００の上方に配設された画像形成部３００と、この画像形成部３００よりも記録紙搬送方向下流側に配設された定着部４００と、原稿上の画像を読み取る画像読取部５００とが備えられている。
【００１２】
画像読取部５００は、コンタクトガラス５０１上に載置された原稿に、露光ランプから光を照射し、その反射光を反射鏡を介してＣＣＤラインセンサ等からなる光電変換部に導くことにより、原稿上の画像データを読み取るものである。
【００１３】
上記画像データが画像形成部３００の露光ユニット３０３に伝えられ、帯電ユニット３０２によって表面が帯電された感光体ドラム３０１表面が露光される。そして、現像ユニット３０４から感光体ドラム３０１表面にトナーが供給され、転写ユニット３０５によって感光体ドラム３０１表面上のトナー画像が記録紙に転写される。トナー画像転写後の感光体ドラム３０１表面はクリーナー３０６及び除電ユニット３０７によって次の画像形成に備えられる。トナー画像が転写された記録紙は、定着部４００の加熱ローラ４０１と加圧ローラ４０２によって加圧及び加熱されてトナー画像が定着される。
【００１４】
給紙部１００は、給紙カセット１１１又は給紙装置３に積載された記録紙の束を、給紙ローラ１１２又は捌きローラ３２０の回転動作によって最上位置の記録紙から１枚ずつ用紙搬送部２００に給紙するものである。用紙搬送部２００は、給紙部１００から給紙された記録紙を、各種ローラ対２０２，２０３によって画像形成部３００に搬送し、さらに画像形成部３００から定着部４００において画像形成がなされた記録紙を排出ローラ対２０５によって排出トレイ２０４上に排出するものである。なお、両面印刷時には、記録紙はスイッチバック部２０６によって画像転写面が反転された後に、再び画像形成部３００に搬送される。
【００１５】
給紙装置３は、大量の記録紙を収容し、本体部２の画像形成部３００に向けて記録紙を給送するものである。給紙装置３内では、大量の記録紙が積載されるリフト部３１０が上下移動し、積載された記録紙の最上部が捌きローラ３２０及び搬送ローラ対３３０が配設された本体部２への記録紙搬送位置にくるように調整して、捌きローラ３２０及び搬送ローラ対３３０によって記録紙を本体部２側に搬送するようになっている。
【００１６】
フィニッシャー６について説明する。フィニッシャー本体６００は、上記本体部２の排出ローラ対２０５から搬入されてきた用紙に対して、後処理としてパンチ処理を行うパンチ部６０１、搬入されてきた用紙を搬送する搬入ローラ対６０２、搬送されてきた用紙を用紙束として一時的にストックする用紙受台６０３、フィニッシャー本体６００は、搬入ローラ対６０２によって搬送されてきた画像形成された用紙及び原稿の用紙を搬送する搬送ローラ対６２０、用紙受台６０３から搬送されてきた用紙をメイン排出トレイ６２３に排出する排出ローラ対６０７、用紙に対する後処理が間に合わない場合に搬送されてきた用紙を退避させる退避ドラム６２１、図示しない昇降機構によって昇降可能にされると共に用紙受台６０３から搬送されてきた用紙と搬入ローラ対６０２から直接搬送されてきた用紙の排出が可能とされた複数のビンからなるメールボックス６２２及びメイン排出トレイ６２３、搬入ローラ対６０２からの用紙の搬送方向を用紙受台６０３側とメールボックス６２２及びメイン排出トレイ６２３に用紙を排出する排出ローラ対６０７側とに切り換える搬送分岐ガイド６２４を備える。
【００１７】
フィニッシャー本体６００は、用紙受台６０３に搬入された用紙にステイプル処理を施すステイプル装置６２５、用紙受台６０３に搬入された用紙の下部端を受け止めて保持する受止部材６２６、用紙受台６０３から下部方向に向かって用紙を搬送する搬送ローラ対６２７、搬送ローラ対６２７から搬送されてきた用紙を中央で折りたたんで小冊子状態にする用紙中折り部６２８、及び用紙中折り部６２８で中折りされた用紙が排出される排出トレイ６２９を備える。
【００１８】
用紙受台６０３は、受止部材６２６を用紙の搬出方向に移動させる駆動部（図略）を備える。そして、制御部（制御手段）１０からの制御信号に応じて駆動部が駆動することにより、受止部材６２６で保持された用紙は、排出ローラ対６０７まで搬送され、排出ローラ対６０７によってメイン排出トレイ６２３に排出される。
【００１９】
フィニッシャー本体６００には、用紙受台６０３に用紙を搬入する受台搬入ローラ（図略）と、用紙受台６０３への用紙の搬入を案内する可動案内部材及び静止案内部（図略）が、用紙の搬入方向に対して所定の間隔を置いて異なった位置に設けられている。これにより、サイズの異なる用紙や、用紙の向きにより搬送方向に対して長さの異なる用紙を、それぞれの用紙のサイズや向きに応じて用紙受台６０３に搬入する位置を変化させ、用紙の端部が揃った状態で用紙受台６０３に搬入すると共にステイプル装置６２５でのステイプル処理が可能にされている。
【００２０】
ステイプル装置６２５は、制御部４１からの制御信号により駆動する図示しない駆動部により移動可能に構成され、用紙受台６０３に搬入された用紙に通常のステイプル処理を行う場合は用紙の端付近の位置に移動させられると共に用紙の端付近にステイプル処理を施し、小冊子モードの際には用紙の中央付近に移動させられると共に用紙の中央付近にステイプル処理を施して中綴じを行う。
【００２１】
用紙中折り部６２８は、ステイプル装置６２５で中綴じされた用紙を載置する中折り受台６３０、搬送ローラ対６２７から搬送されてきた用紙を中折り受台６３０へ搬入する搬入ローラ対６３１、中折り受台６３０に載置された用紙の中央付近の表裏を挟み込むように相対して設けられた押し込み部材６３２、及び中折ローラ対６３３により中折されて小冊子状態にされた用紙を排出トレイ６２９へ排出する排出ローラ対６３４等を備える。
【００２２】
押し込み部材６３２は、図示しない駆動部により移動可能に構成され、中折ローラ対６３３方向へ移動させられることにより、中折り受台６３０に載置された用紙の中央付近を中折ローラ対６３３へ向かって押し込んで、中折するものである。中折ローラ対６３３は、押し込み部材６３２により押し込まれた用紙を、折りたたんで小冊子状態にすると共に排出ローラ対６３４へ搬送し、この２つ折りされた用紙が、排出ローラ対６３４によって排出トレイ６２９へ排出される。
【００２３】
図２は、図１に示すデジタル複合機の電気的構成を主に示すブロック図である。デジタル複合機１は、スキャナ部１１、画像処理部２１、プリンタ部３１、制御部４１、操作パネル部５１、ネットワークＩ／Ｆ（インターフェース）部７１、ＨＤＤ（ハードディスクドライブ）８１、及びフィニッシャー６を備える。
【００２４】
操作パネル部５１は、タッチパネル等から構成されるタッチパネル部５２、及びスタートキー４０２及びテンキー４０３等から構成される操作キー部５３を含む。操作パネル部５１は、ユーザがスキャナ機能、ファクシミリ機能、プリンタ機能、コピー機能等に関する操作を行うために使用され、ユーザによる操作指令等を制御部４１に与える。
【００２５】
スキャナ部１１は、図１に示す画像読み取り部５００を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像に対応する画像データを画像処理部２１へ出力する。
【００２６】
画像処理部２１は、補正部２２、画像加工部２３及び画像メモリ２４を含む。画像処理部２１は、読み取られた画像データを必要に応じて補正部２２及び画像加工部２３により処理し、処理された画像データを画像メモリ２４に記憶したり、プリンタ部３１又はネットワークＩ／Ｆ部７１等へ出力する。補正部２２は、読み取られた画像データに対してレベル補正、γ補正等の所定の補正処理を行う。画像加工部２３は、画像データの圧縮又は伸張処理、及び拡大又は縮小処理等の種々の加工処理を行う。
【００２７】
プリンタ部３１は、図１に示す用紙搬送部２００、画像形成部３００、定着部４００を含む。プリンタ部３１は、スキャナ部１１により読み取られた原稿データ、ネットワークＩ／Ｆ部７１を介してパーソナルコンピュータ等から送信された印刷データ等の画像データを用いて画像を記録紙に印刷する。具体的には、用紙搬送部２００は記録紙を画像形成部３００へ搬送し、画像形成部３００は上記の画像データに対応するトナー像を形成し、定着部４００はトナー像を記録紙に定着させて画像を形成する。
【００２８】
フィニッシャー６は、図１に示すステイプル装置６２５及び用紙中折り部６２８等から構成される。プリンタ部３１によって画像形成された記録紙がフィニッシャー本体６００に搬送され、用紙受け台６０３に所定枚数分の記録紙がストックされると、ステイプル装置６２５は記録紙の端付近または中央部分に移動されると共にステイプル処理を行う。用紙中折り部６２８は、ステイブル処理が施された記録紙を中折りし、小冊子状態にされた記録紙を排出トレイ６２９に排出する。
【００２９】
ネットワークＩ／Ｆ部７１は、ネットワークインタフェース（１０／１００Ｂａｓｅ−ＴＸ）等を用い、ＬＡＮを介して外部装置との間での種々のデータの送受信を制御する。ＨＤＤ８１は、スキャナ部１１によって読み取られた画像データ及び当該画像データに設定されている出力形式等を記憶する。
【００３０】
ＣＰＵ４２は、印刷予定枚数算出部９１、印刷枚数カウント部９２、分冊判定部９３、画像加工制御部９４、分冊番号算出部９５、及び中綴じ制限枚数変更部９６を備える。
【００３１】
印刷予定枚数算出部９１は、原稿枚数に基づき小冊子を作成するために必要な記録紙の枚数を印刷予定枚数Ａとして算出する。印刷枚数カウント部９２は、記録紙の画像形成終了毎にカウント数を１ずつ加算していき、処理済みの印刷枚数Ｙを求める。中綴じ制限枚数記憶部４３は、フィニッシャー６のステイプル装置６２５により中綴じ処理を行うことが可能な記録紙の上限枚数（中綴じ制限枚数Ｂ）を記憶する。分冊判定部９３は、印刷予定枚数算出部９１により算出された印刷予定枚数Ａと、中綴じ制限枚数記憶部４３に記憶される中綴じ制限枚数Ｂとを比較し、分冊処理を行うか否かの判定を行う。画像加工制御部９４は、小冊子モードの際に記録紙上の原稿画像のレイアウトや画像形成する順序等を決定し、画像加工部２３に画像データの編集処理を実行させる。分冊番号算出部９５は、印刷枚数カウント部９２によりカウントされた印刷枚数Ｙを中綴じ制限枚数Ｂで割ることにより分冊番号Ｘを算出し、画像形成部３００による画像形成処理中の記録紙が含まれる分冊が何分冊目であるかを判断する。中綴じ制限枚数変更部９６は、均等割りモードが選択された場合、印刷予定枚数Ａが中綴じ制限枚数Ｂの倍数であり、各分冊に含まれる記録紙の枚数が均等になるか否かの判断を行い、均等ではないと判断した場合は、中綴じ制限枚数Ｂを印刷予定枚数Ａの約数に変更する。
【００３２】
図３，図４は小冊子モードの処理を説明するためのフローチャートである。
【００３３】
タッチパネル部５２の初期画面には、図５に示す機能リスト画面Ｇ１が表示されており（ステップＳ１）、機能リスト画面Ｇ１から小冊子モードキーＫ１が選択されると（ステップＳ３）、小冊子モード設定画面がタッチパネル部５２に表示される（ステップＳ５）。図６はタッチパネル部５２に表示される小冊子モード設定画面の一例である。小冊子モード設定画面Ｇ２には、原稿の画像が片面または両面に形成されているかを設定するための原稿設定キーＫ１〜Ｋ３や、ステープルの綴じ位置を設定するための綴じ位置設定キーＫ４〜Ｋ６や、分冊処理を行う際に各分冊に含まれる記録紙を均一にする均等割りを設定するための均等割りキーＫ７等が表示されており、これらのキーが押下されることにより小冊子モードの条件が設定される。ステップＳ７において、スタートキー（図示省略）が押下されたか否かが判断され、スタートキーが押下された場合、ステップＳ９に移行し、スキャナ部１１により原稿の画像データが読み込まれる。
【００３４】
ステップＳ１１において、印刷枚数カウント部９２は印刷枚数Ｙをクリアし、印刷予定枚数算出部９１は、Ａ＝（Ｐ＋３）／４に原稿枚数Ｐを代入することで印刷予定枚数Ａを算出する。ステップＳ１３において、分冊判定部９３は、印刷予定枚数Ａが中綴じ制限枚数記憶部４３に記憶される中綴じ制限枚数Ｂより大きいか否かを判断し、印刷予定枚数Ａが中綴じ制限枚数Ｂより大きい場合は、分冊処理モードに移行する。
【００３５】
ステップＳ２０において、中綴じ制限枚数変更部９６は、分冊の均等割りが設定されているか否かを判断し、分冊の均等割りが設定されている場合は、ステップＳ２１に進み、中綴じ制限枚数Ｂが印刷予定枚数Ａの約数であるか否かを判断し、中綴じ制限枚数Ｂが印刷予定枚数Ａの約数であると判断した場合は、各分冊への均等割りが可能であると判断し、ステップＳ２５に進む。中綴じ制限枚数変更部９６は、中綴じ制限枚数Ｂが印刷予定枚数Ａの約数ではないと判断した場合は、ステップＳ２２に進み、印刷予定枚数Ａを中綴じ制限枚数Ｂで除算したときの商を求め、この商より大きい整数値Ｚで印刷予定枚数Ａを除算し、割り切れるか否かを判断する。中綴じ制限枚数変更部９６は印刷予定枚数Ａが整数値Ｚにより割り切れると判断した場合、ステップＳ２３に進み、印刷予定枚数Ａを整数値Ｚにより割った際に得られる商であり、かつ、１より大きい値を新たな中綴じ制限枚数Ｂとして設定し、印刷予定枚数Ａが整数値Ｚにより割り切れないと判断した場合、均等割りが不可能であると判断しステップＳ２５に進む。
【００３６】
ステップＳ２５において、画像加工制御部９４は、印刷予定枚数Ａを中綴じ制限枚数Ｂで割った値Ｎ（Ａ／Ｂ）に余りが無い場合はその値Ｎを分冊数とし、印刷予定枚数Ａを中綴じ制限枚数Ｂで割った値Ｎに余りが有る場合はＮ＋１を分冊数とし、原稿の各ページの画像を何分冊目の何ページ目に形成するかを決定し、画像加工部２３に原稿の画像データの編集処理を実行させる。
【００３７】
ステップＳ２７に進み、分冊番号算出部９５は、印刷枚数Ｙを中綴じ制限枚数Ｂで割った場合に余りがあるか否かを判断し、余りが有ると判断した場合は、次に画像形成される記録紙は分冊の一枚目ではないと判断し、ステップＳ３３に移行し、余りがないと判断した場合は、次に画像形成がされる記録紙は分冊の１枚目に該当すると判断し、ステップＳ２９に移行する。分冊番号算出部９５は、Ｘ＝Ｙ／Ｂ＋１に印刷枚数Ｙ及び中綴じ制限枚数Ｂを代入し分冊番号Ｘを求め、ステップＳ３１において、分冊番号算出部９５は、画像形成部３００に対し記録紙の第１面に分冊番号Ｘを形成させるよう指示信号を出力する。そして、ステップＳ３３において、画像形成部３００は分冊番号算出部９５からの指示信号を受信すると、記録紙の第１面に割り当てられた原稿の画像を形成すると共に記録紙の第１面の中央付近に分冊番号Ｘの画像を形成する。
【００３８】
そして、記録紙の両面印刷が終了すると、ステップＳ３３において、印刷枚数カウント部９２は印刷枚数Ｙを１加算する。ステップＳ３５において、ＣＰＵ４２は印刷枚数Ｙが印刷予定枚数Ａに達したか否かを判断し、印刷枚数Ｙが印刷予定枚数Ａに達していない場合は、ステップＳ２７に戻り印刷処理を続行し、印刷枚数Ｙが印刷予定枚数Ａに達した場合は処理を終了する。
【００３９】
一方、ステップＳ１３において、分冊判定部９３により印刷予定枚数Ａが中綴じ制限枚数Ｂ以下であると判断された場合は、ステップＳ１５において、画像加工部２３は小冊子用の画像データを作成し、ステップＳ１７、１９において、画像形成部３００は、印刷枚数カウント部９２によりカウントされる印刷枚数Ｙが印刷予定枚数Ａに達するまで小冊子用の画像データによる画像形成処理を行う。
【００４０】
また、記録紙の両面印刷と同時に、両面印刷が終了した記録紙がフィニッシャー本体６００に搬送され、用紙受け台６０３に中綴じ制限枚数Ｂの記録紙が貯まると、制御部４１からステイプル装置６２５及び用紙中折り部６２８に駆動信号が出力され、記録紙の中央部分がステイプル装置６２５により中綴じされると共に用紙中折り部６２８により中折り処理がされ、小冊子状態にされた記録紙が排出トレイ６２９に排出される。
【００４１】
図７は小冊子モードにより作成された分冊を示す図である。
【００４２】
小冊子モードにより例えば１６枚の原稿用紙から小冊子を作成する際は、印刷予定枚数算出部９１は、Ａ＝（Ｐ＋３）／４にＰ＝１６を代入し、印刷予定枚数Ａ＝４を求める。中綴じ制限枚数記憶部４３に記憶される中綴じ制限枚数Ｂとして２が設定されている場合、分冊判定部９３は、印刷予定枚数Ａと中綴じ制限枚数Ｂを比較し、印刷予定枚数Ａが中綴じ制限枚数Ｂより大きいと判断し、分冊処理に移行する。即ち、画像加工制御部９４は、印刷予定枚数Ａを中綴じ制限枚数Ｂで割った分冊数Ｎ＝２を基準に原稿画像のレイアウト等を決定し、画像形成部３００は画像加工部２３により編集された画像データに基づき記録紙上に画像形成を行なう。尚、ユーザがタッチパネル部５２を用いて均等割りを設定している場合は、中綴じ制限枚数Ｂは印刷予定枚数Ａの約数であるため、中綴じ制限枚数変更部９６により中綴じ制限枚数Ｂは変更されずに分冊処理が行われる。
【００４３】
図７（ａ）は分冊に含まれる記録紙上の原稿画像のレイアウトを説明するための図である。図に示すように、第１分冊Ｓ１の記録紙Ｐ１の第１面，第２面にはそれぞれ原稿の１、８枚目の画像データ及び原稿の２、７枚目の画像データが配置され、記録紙Ｐ２の第１面，第２面にはそれぞれ原稿の３、６枚目の画像データ及び原稿の４、５枚目の画像データが配置される。第２分冊Ｓ２の記録紙Ｐ３及びＰ４も中綴じ処理された状態で原稿９〜１６枚目の画像データが順番通りになるように配置される。
【００４４】
画像形成部３００による記録紙Ｐ１〜４の画像形成処理中に、分冊番号算出部９５は印刷枚数カウント部９２による印刷枚数Ｙを中綴じ制限枚数Ｂで割り、余りが無い時に次に印刷が行なわれる記録紙が分冊の１枚目の記録紙であると判断し、分冊番号Ｘを算出する。ここでは、分冊番号算出部９５は、印刷枚数Ｙ＝０，２の際に印刷枚数Ｙは中綴じ制限枚数Ｂにより割り切れるため、印刷枚数Ｙ及び中綴じ制限枚数ＢをＸ＝Ｙ／Ｂ＋１に代入し、分冊番号Ｘ＝１，２を求める。図７（ｂ）は分冊番号Ｘが付された分冊を示す図である。画像形成部３００は、記録紙Ｐ１の第１面に原稿画像を形成する際に分冊番号１を記録紙Ｐ１の中央上部付近に形成し、記録紙Ｐ３の第１面に原稿画像を形成する際に分冊番号２を記録紙Ｐ３の中央上部付近に形成する。
【００４５】
このように、本実施形態によれば、分冊処理を行なう際に、画像形成部３００は各分冊の表紙に分冊番号算出部９５により求められた分冊番号Ｘを付すので、ユーザが分冊のページ数等を確認せずに容易に製本することができ、特に原稿枚数や小冊子の作成部数が多く大量の分冊が作成された場合に製本作業の負担を軽減し、作業の迅速化を図ることができる。また、均等割りが指定されており、分冊制限枚数Ｂが印刷予定枚数Ａの約数でない場合は、分冊制限枚数Ｂを印刷予定枚数Ａの約数に変更するので、各分冊に含まれる記録紙の枚数を均等にすることができる。
【００４６】
なお、本実施形態では、小冊子を構成する記録紙の枚数として中綴じ制限枚数Ｂを用いているが、これには限定されず、ユーザが操作パネル部５１により小冊子に含まれる記録紙の枚数を中綴じ制限枚数Ｂより少ない枚数に変更するようにしてもよい。
【００４７】
【発明の効果】
本発明によれば、ユーザが小冊子モードにより作成された複数の分冊を重ね合わせて製本をする際に、各分冊の表紙に付された分冊番号から製本順序を容易に知ることができ、製本作業の容易化及び迅速化を図ることができる。
【図面の簡単な説明】
【図１】本発明の一実施の形態によるデジタル複合機の機械的構成を主に示す側面概略図である。
【図２】図１に示すデジタル複合機の電気的構成を主に示すブロック図である。
【図３】小冊子モードの処理を説明するためのフローチャートである。
である。
【図４】小冊子モードの処理を説明するためのフローチャートである。
である。
【図５】タッチパネル部に表示される機能リスト画面の一例である。
【図６】タッチパネル部に表示される小冊子モード設定画面の一例である。
【図７】小冊子モードにより作成された分冊を示す図である。
【符号の説明】
２３  画像加工部
４１  制御部
４２  ＣＰＵ
４３  中綴じ制限枚数記憶部
９１  印刷予定枚数算出部
９２  印刷枚数カウント部
９３  分冊判定部
９４  画像加工制御部
９５  分冊番号算出部
９６  中綴じ制限枚数変更部
３００  画像形成部
【図１】
2005022175.tif 000003
【図２】
2005022175.tif 000004
【図３】
2005022175.tif 000005
【図４】
2005022175.tif 000006
【図５】
2005022175.tif 000007
【図６】
2005022175.tif 000008
【図７】
2005022175.tif 000009